(57)【要約】【課題】  破損し難い丈夫な搬送チェーンを構成する搬送機能付きリンク部材を提供する。【解決手段】  搬送チェーン１１の構成要素となる一対のリンクプレート１２、１２と、搬送物Ｗに当接して搬送面Ｓ上で搬送物Ｗを移動させる搬送物押圧部１５とが一体に成形されている。ここで、「一体に成形」とは、一対のリンクプレート１２、１２と搬送物押圧部１５とが何等かの固着手段を用いて一体化されるのではなく、一対のリンクプレート１２、１２と搬送物押圧部１５とが元々一体の状態で作製されることを言う。【選択図】    図１
2020023393.tif 000002
【特許請求の範囲】
【請求項１】
搬送チェーンの構成要素となる一対のリンクプレートと、搬送物に当接して搬送面上で搬送物を移動させる搬送物押圧部とが一体に成形されている、搬送機能付きリンク部材。
【請求項２】
前記一対のリンクプレートを複数備え、隣接するリンクプレート同士がピンによって相対回動自在に連結される搬送チェーンであって、搬送物に対応する所定のピッチで、請求項１に記載の搬送機能付きリンク部材を備えている搬送チェーン。
【請求項３】
請求項２に記載の搬送チェーンが二対のスプロケット間に平行に二条張設され、各搬送チェーンに含まれる搬送機能付きリンク部材が二条の前記搬送チェーンの互いに対応する位置に配設されているチェーン駆動式搬送装置。
【発明の詳細な説明】
【技術分野】
【０００１】
本発明は、チェーン駆動方式で搬送面上において搬送物を搬送する搬送機能付きリンク部材と、該搬送機能付きリンク部材を有する搬送チェーンと、該搬送チェーンを有するチェーン駆動式搬送装置と、に関するものである。
【背景技術】
【０００２】
チェーン駆動式搬送装置５６を構成する搬送チェーン５１は、チェーン５１の構成部品である一対のリンクプレート５２ｏに搬送物押圧用のアタッチメント５５を取り付けて構成される。具体的には、例えば図３、図４ａ、図４ｂに示すように、チェーン５１の構成部品である一対のリンクプレート５２ｏのそれぞれに、チェーン５１の周回方向の外向きに起立する取付受部５７が一体に形成され、各取付受部５７にはアタッチメント取付用のリベット孔が形成されており、このリベット孔に対応するリベット孔がアタッチメント５５にも形成される。そして、図４ｂに示すように、一対の取付受部５７，５７間にアタッチメント５５を挟み、取付受部５７，５７とアタッチメント５５のリベット孔同士を一致させて、リベット５８によってアタッチメント５５を取付受部５７，５７に対して固定する。図中符号５３はピン、符号５４はローラである。
なお、図３と同様の、取付受部５７，５７付きのチェーン５１は、例えば特許文献１の図１にも記載されている。
【０００３】
チェーン駆動式搬送装置によれば、エンドレスな搬送チェーン５１がスプロケットで周回駆動されることにより、搬送面Ｓ上に載置される搬送物Ｗをアタッチメント５５が押して搬送する。
【先行技術文献】
【特許文献】
【０００４】
【特許文献１】特開２０１３−２３２９７号公報
【発明の概要】
【発明が解決しようとする課題】
【０００５】
しかしながら、前記構成の搬送チェーン５１では、チェーンの取付受部５７，５７とアタッチメント５５とを締結するリベット５８が、アタッチメント５５にかかる搬送物Ｗの荷重や衝撃等で折損し易いという問題がある。この場合、再度リベット５８を打ち直して補修するためには、アタッチメント５５と外リンクプレート５２ｏ，５２ｏとを更新する必要がある。リベットに代えてボルトとナット等で応急的な処置を行うことは可能であるが、やはりこの場合にも、アタッチメントと外リンクプレートとを更新する必要がある。
【０００６】
本発明は、前記のような事情に鑑みてなされたもので、破損し難い丈夫な搬送チェーンを構成する搬送機能付きリンク部材を提供しようとするものである。本発明はまた、前記搬送機能付きリンク部材を有する搬送チェーンと、該搬送チェーンを有するチェーン駆動式搬送装置を提供しようとするものである。
【課題を解決するための手段】
【０００７】
前記課題を解決するため、本発明に係る搬送機能付きリンク部材は、搬送チェーンの構成要素となる一対のリンクプレートと、搬送物に当接して搬送面上で搬送物を移動させる搬送物押圧部（アタッチメント）とが一体に成形されていることを特徴とする。本発明において、「一体に成形」とは、一対のリンクプレートと搬送物押圧部とが何等かの固着手段を用いて一体化されるのではなく、一対のリンクプレートと搬送物押圧部とが元々一体の状態で作製されることを言う。
【０００８】
また、本発明に係る搬送チェーンは、一対のリンクプレートを複数備え、隣接するリンクプレート同士がピンによって相対回動自在に連結される搬送チェーンであって、搬送物に対応する所定のピッチで前記搬送機能付きリンク部材を備えていることを特徴とする。
【０００９】
さらに本発明に係るチェーン駆動式搬送装置は、前記搬送チェーンが二対のスプロケット間に平行に二条張設され、各搬送チェーンに含まれる搬送機能付きリンク部材が二条の前記搬送チェーンの互いに対応する位置にあることを特徴とする。
【発明の効果】
【００１０】
本発明によれば、一対のリンクプレートと搬送物押圧部とが一体に成形されるので、それら同士を固着するための固着手段が不要であり、破損し難く丈夫な、搬送機能付きリンク部材、搬送チェーン及びチェーン駆動式搬送装置が得られる。また、一対のリンクプレートと搬送物押圧部との一体化により部品点数が減少するので、部品の管理手数や搬送チェーンの組立手数が減少できて経済的である。
【図面の簡単な説明】
【００１１】
【図１】本発明の実施の一形態に係る搬送機能付きリンク部材を有する搬送チェーンの一部を示す側面図である。
【図２ａ】図１の搬送チェーンの一部を示す拡大側面図である。
【図２ｂ】図２ａのＡ−Ａ矢視断面図である。
【図３】従来の搬送チェーンの一部を示す側面図である。
【図４ａ】図３の搬送チェーンの一部を示す拡大側面図である。
【図４ｂ】図４ａのＡ−Ａ矢視断面図である。
【発明を実施するための形態】
【００１２】
以下、添付図面を参照して、本発明の実施の形態について説明する。
【００１３】
本発明の実施の一形態に係る搬送機能付きリンク部材１０は、図１に示す搬送チェーン１１に含まれている。この搬送チェーン１１は、一対の外リンクプレート１２ｏ，１２ｏと一対の内リンクプレート１２ｉ，１２ｉとがピン１３によって交互に無端状（環状）に複数連結されたものであり、隣接するリンクプレート同士がピン１３を中心として相対回動可能とされたものである。各ピン１３には、図示しないブシュを介してローラ１４が装着されている。各ローラ１４により、搬送チェーン１１とスプロケット（図示せず）とが噛み合う際の衝撃が緩和される。
【００１４】
図１、図２ａに示す搬送チェーン１１には、本発明の実施の一形態に係る搬送機能付きリンク部材１０が搬送物Ｗの大きさや間隔に対応する所定のピッチで配設されている。各搬送機能付きリンク部材１０は、搬送チェーン１１の構成要素となる一対のリンクプレート１２，１２と、搬送物Ｗに当接して搬送面Ｓ上で搬送物Ｗを移動させる搬送物押圧部（アタッチメント）１５と、を有し、前記一対のリンクプレート１２，１２と前記搬送物押圧部１５とが、搬送チェーン１１に要求される強度や耐久性を有する適宜の金属（例えば、炭素鋼やＳＵＳ）で一体に成形されている。ここで、「一体に成形」とは、一対のリンクプレート１２，１２と搬送物押圧部１５とが何等かの固着手段を用いて一体化されるのではなく、一対のリンクプレート１２，１２と搬送物押圧部１５とが元々一体の状態で作製されることを言う。
【００１５】
各搬送機能付きリンク部材１０において、一対のリンクプレート１２，１２を構成する各リンクプレート１２は、通常の搬送チェーンのリンクプレートと同様に搬送チェーン１１の張設方向に延在し、両端部に、隣り合うリンクプレート同士をピン１３で連結するためのピン挿通孔を有する。図１の例では、各搬送機能付きリンク部材１０を構成する一対のリンクプレート１２，１２を外リンクプレート１２ｏとしてあるが、これには限定されず、内リンクプレート１２ｉについて適用することもできる。
【００１６】
各搬送機能付きリンク部材１０において、搬送物押圧部１５は、前記一対のリンクプレート１２、１２と一体に成形されている。図１の例では、搬送物押圧部１５が搬送チェーン１１の横幅に相当する厚みＴを有し、前記一対のリンクプレート１２、１２の上部に連設された構成となっている。搬送物押圧部１５の具体的な形状や大きさは、搬送物Ｗに当接して該搬送物Ｗを搬送チェーン１１の走行方向の前方へと円滑且つ確実に押し移動させることができるように、搬送物Ｗの形状や大きさに応じて適宜に決定される。
【００１７】
本発明の実施の一形態に係るチェーン駆動式搬送装置１６は、図２ａに示すように、前記搬送チェーン１１が図示しない二対のスプロケット間に平行に二条張設され、図１に示すように、各搬送チェーン１１に含まれる搬送機能付きリンク部材１０が二条の前記搬送チェーン１１，１１の互いに対応する位置に配設される。二条の搬送チェーン１１，１１間には、搬送物Ｗが載置される搬送面Ｓが配設される。同期したスプロケットの回転駆動により二条の搬送チェーン１１，１１が同方向に同速度で走行することにより、二条の搬送チェーン１１，１１の互いに対応する位置に配設される一対の搬送機能付きリンク部材１０，１０の一対の搬送物押圧部１５，１５が、搬送面Ｓ上の搬送物Ｗを押す。これにより、搬送物Ｗが搬送面Ｓ上で図１の矢印方向へと搬送される。
【００１８】
本実施の形態によれば、一対のリンクプレート１２，１２と搬送物押圧部１５とが一体に成形されるので、それら同士を固着するためのリベット等の固着手段が不要であり、破損し難く丈夫な搬送機能付きリンク部材１０となる。よって、該搬送機能付きリンク部材１０を有する搬送チェーン１１においても、該搬送チェーン１１を有するチェーン駆動式搬送装置１６においても、同様の作用効果が奏される。また、一対のリンクプレート１２，１２と搬送物押圧部１５との一体化により部品点数が減少するので、部品の管理手数や搬送チェーン１１の組立手数が減少できて経済的である。
【００１９】
なお、図３に示した従来の搬送チェーン５１を用いたチェーン駆動式搬送装置５６では、約３回／月の頻度でアタッチメント取付用のリベットが折損していた。これに対し、本実施の形態の搬送チェーン１１を用いたチェーン駆動式搬送装置１６によれば、リベットが存在しないのでリベット折損のおそれはなく、耐久性が向上する。
【符号の説明】
【００２０】
１０  搬送機能付きリンク部材
１１  搬送チェーン
１２  リンクプレート
１２ｏ  外リンクプレート
１２ｉ  内リンクプレート
１３  ピン
１４  ローラ
１５  搬送物押圧部
１６  チェーン駆動式搬送装置
Ｓ  搬送面
Ｗ  搬送物
Ｔ  搬送物押圧部の厚み（搬送チェーンの横幅に相当する）
【図１】
2020023393.tif 000003
【図２ａ】
2020023393.tif 000004
【図２ｂ】
2020023393.tif 000005
【図３】
2020023393.tif 000006
【図４ａ】
2020023393.tif 000007
【図４ｂ】
2020023393.tif 000008